(57)【要約】【課題】携帯電話を収容したことがわかり難く、ワイシャツの見端の低下を防ぐことができる携帯電話収容ポケット付きワイシャツを提供する。【解決手段】胸ポケット２６の中に形成された携帯電話収容ポケット３１は、左前身頃２１と第１ポケット生地２９よりも小さい第２ポケット生地３７とから作られている。ポケット生地３７は、その全体がポケット生地２９に隠蔽され、収容ポケット３１に収容された携帯電話３０を左前身頃２１の側へわずかに押し当てる大きさを有する。【選択図】図２
2007177334.tif 000002
【特許請求の範囲】
【請求項１】
ワイシャツに作られた胸ポケットの中に携帯電話を収容可能な携帯電話収容ポケットが形成され、前記収容ポケットが、前記ワイシャツを作る前身頃と、前記前身頃の外側に配置されて前記胸ポケットを作る第１ポケット生地の内側に重なる第２ポケット生地とから作られ、前記第２ポケット生地が、前記第１ポケット生地よりも小さくて前記収容ポケットに収容された前記携帯電話を前記前身頃の側へわずかに押し当てる大きさを有するとともに、前記第１ポケット生地の第１自由上縁部よりも下方に位置する第２自由上縁部と、前記前身頃に固着された前記第１ポケット生地の第１固着周縁部の周方向内方に位置して該前身頃に固着された第２固着周縁部とを有する携帯電話収納ポケット付きワイシャツ。
【請求項２】
上下方向へ延びる少なくとも１つのダーツが、前記第２ポケット生地の第２自由上縁部と第２固着周縁部とを除いた残余の部位に形成されている請求項１記載の携帯電話収納ポケット付きワイシャツ。
【請求項３】
前記第２ポケット生地が、上下方向と横方向とのうちの少なくとも該横方向へ弾性的な伸縮性を有し、前記前身頃に対する前記第２固着周縁部の固着時には、前記第２ポケット生地が非伸張状態にある請求項１または請求項２に記載の携帯電話収納ポケット付きワイシャツ。
【発明の詳細な説明】
【技術分野】
【０００１】
本発明は、携帯電話を収容可能な携帯電話収容ポケットが形成された携帯電話収容ポケット付きワイシャツに関する。
【背景技術】
【０００２】
市販のワイシャツでは、その左前身頃の着用者の左胸に当接する部位に胸ポケットが作られている。胸ポケットに携帯電話を入れた場合、一般に胸ポケットの大きさが携帯電話のそれよりも大きいから、胸ポケットを作るポケット生地が携帯電話を左前身頃に向かって押さえ付けることはなく、着用者が前屈みになったときに携帯電話が胸ポケットから不用意に脱落してしまう場合がある。
【０００３】
携帯電話の脱落を防止するため、ワイシャツの左前身頃に作られた胸ポケットとは別に、ワイシャツの右前身頃の着用者の右胸に当接する部位に携帯電話を収容可能な携帯電話収容ポケットを形成した携帯電話収容ポケット付きワイシャツがある（特許文献１参照）。収容ポケットには携帯電話をポケットに出し入れ可能な上部開口が形成され、ポケットの上部には携帯電話の脱落を防ぐベルトが取り付けられている。収容ポケットは、ワイシャツを作る右前身頃の外側に位置する身体側生地と、身体側生地の外側に位置する表面側生地とから作られている。身体側生地は、携帯電話から発生する電磁波を遮断する電磁波遮断生地と、電磁波遮断生地の外側に重なる防水生地とから形成されている。身体側生地は、その周縁部が右前身頃に縫合されている。表面側生地は、横方向へ延びる自由縁部と、自由縁部の下方へ凸となる固着周縁部とを有する。表面側生地の固着周縁部は、身体側生地の周縁部に縫合されている。この携帯電話収容ポケット付きワイシャツは、電磁波遮断生地が携帯電話の電磁波を遮断するから、着用者が電磁波の影響を受けることはなく、さらに、防水生地が着用者の汗のポケット内への滲出を遮断するから、携帯電話が着用者の汗の影響を受けることはない。
【特許文献１】特開２０００−６４１０１号公報
【発明の開示】
【発明が解決しようとする課題】
【０００４】
前記公報に開示の携帯電話収容ポケット付きワイシャツは、左前身頃に作られた胸ポケットとは別に、右前身頃に携帯電話収容ポケットが作られているから、前身頃の左右に形の異なるポケットが形成されることによるワイシャツのデザインバランスの不釣り合いが発生する。また、このワイシャツは、収容ポケットに携帯電話を入れたとき、ポケットを形成する表面側生地が携帯電話の厚みによって右前身頃の外側へ大きく出っ張るから、ポケットが携帯電話の形状に沿って大きく膨らみ、ワイシャツの見端が低下する場合があるとともに、ポケットに携帯電話を収容していることがワイシャツの外側から容易にわかってしまう。
【０００５】
本発明の目的は、収容した携帯電話の脱落を防ぐことができ、携帯電話を収容したことがわかり難く、ワイシャツの見端の低下を防ぐことができる携帯電話収容ポケット付きワイシャツを提供することにある。
【課題を解決するための手段】
【０００６】
前記課題を解決するための本発明は、ワイシャツに作られた胸ポケットの中に携帯電話を収容可能な携帯電話収容ポケットが形成され、携帯電話収容ポケットが、ワイシャツを作る前身頃と、前身頃の外側に配置されて胸ポケットを作る第１ポケット生地の内側に重なる第２ポケット生地とから作られ、第２ポケット生地が、第１ポケット生地よりも小さくて収容ポケットに収容された携帯電話を前身頃の側へわずかに押し当てる大きさを有するとともに、第１ポケット生地の第１自由上縁部よりも下方に位置する第２自由上縁部と、前身頃に固着された第１ポケット生地の第１固着周縁部の周方向内方に位置して該前身頃に固着された第２固着周縁部とを有する。
【０００７】
本発明の一例としては、上下方向へ延びる少なくとも１つのダーツが第２ポケット生地の第２自由上縁部と第２固着周縁部とを除いた残余の部位に形成されている。
【０００８】
本発明の他の一例としては、第２ポケット生地が上下方向と横方向とのうちの少なくとも該横方向へ弾性的な伸縮性を有し、前身頃に対する第２固着周縁部の固着時には第２ポケット生地が非伸張状態にある。
【発明の効果】
【０００９】
本発明にかかる携帯電話収容ポケット付きワイシャツによれば、携帯電話収容ポケットが胸ポケットの中に形成され、収容ポケットが胸ポケットに隠蔽されるから、前身頃の左右に形の異なるポケットが形成されることによるワイシャツのデザインバランスの不釣り合いを防ぐことができる。このワイシャツは、携帯電話収容ポケットが前身頃と第１ポケット生地よりも小さい第２ポケット生地とから作られ、第２ポケット生地が収容ポケットに収容された携帯電話を前身頃の側へわずかに押し当てる大きさを有し、携帯電話を収容ポケットに入れたときに第２ポケット生地が携帯電話を前身頃に向かって押さえ付けるから、収容ポケットに収容された携帯電話の収容ポケットからの不用意な脱落を防ぐことができる。このワイシャツは、携帯電話を携帯電話収容ポケットに入れたときに第２ポケット生地が携帯電話を前身頃に向かって押さえ付けるから、携帯電話が第１ポケット生地を前身頃の外側へ大きく出っ張らせることはなく、胸ポケットが携帯電話の形状に沿って大きく膨らむことはない。ゆえに、このワイシャツは、その見端の低下を防ぐことができるとともに、胸ポケットの中に携帯電話が入っていることをワイシャツの外側からわかり難くすることができる。
【００１０】
上下方向へ延びる少なくとも１つのダーツが第２ポケット生地の自由上縁部と固定周縁部とを除いた部位に形成された携帯電話収納ポケット付きワイシャツは、携帯電話を収容ポケットに収容したときに、第２ポケット生地の自由上縁部が携帯電話を前身頃に向かって押さえ付けるとともに、ダーツが横方向へ広がることで携帯電話の厚みを吸収するから、携帯電話が第１ポケット生地を前身頃の外側へ大きく出っ張らせることはなく、胸ポケットが携帯電話の形状に沿って大きく膨らむことはない。このワイシャツは、収容ポケットからの携帯電話の不用意な脱落を防ぐことができるとともに、その見端の低下を確実に防ぐことができ、胸ポケットの中に携帯電話が入っていることをワイシャツの外側からわかり難くすることができる。
【００１１】
第２ポケット生地が上下方向と横方向とのうちの少なくとも該横方向へ弾性的な伸縮性を有し、前身頃に対する第２固着縁の固着時には第２ポケット生地が非伸張状態にある携帯電話収納ポケット付きワイシャツは、携帯電話を収容ポケットに収容したときに、第２ポケット生地がその伸縮性よって携帯電話を前身頃に向かって確実に押さえ付けるから、携帯電話が第１ポケット生地を前身頃の外側へ大きく出っ張らせることはなく、胸ポケットが携帯電話の形状に沿って大きく膨らむことはない。このワイシャツは、収容ポケットからの携帯電話の不用意な脱落を防ぐことができるとともに、その見端の低下を確実に防ぐことができ、胸ポケットの中に携帯電話が入っていることをワイシャツの外側からわかり難くすることができる。
【発明を実施するための最良の形態】
【００１２】
添付の図面を参照し、本発明に係る携帯電話収納ポケット付きワイシャツの詳細を説明すると、以下のとおりである。図１，２は、一例として示すワイシャツ１０の正面図と、胸ポケット２６および携帯電話収容ポケット３１を拡大して示す部分拡大図とである。図３は、図２の３−３線矢視断面図である。図２では、第１ポケット生地２９の一部を破断して示す。図２では、横方向を矢印Ｘで示し、上下方向を矢印Ｙで示す。
【００１３】
ワイシャツ１０は、前身頃１１および後見頃（図示せず）と、前後見頃１１を肩部でつなぐショルダー・ヨーク１２と、前後見頃１１の袖付け１３に取り付けられた一対の左右長袖１４と、前後見頃１１の襟付け１５に取り付けられた襟１６と、袖１４のカフス付け１７に取り付けられたカフス１８とから形成されている。前後見頃１１は、ショルダー・ヨーク１２および袖付け１３を介して連結されている他、それら身頃１１の脇１９からシャツテール２０にかけて連結されている。前身頃１１は、横方向へ分かれる左前身頃２１と右前身頃２２とから形成されている。左右前身頃２１，２２は、前立て２３に取り付けられたボタン２４を前立て２５に形成されたボタン穴に差し入れることで連結される。前後見頃１１どうしの連結やショルダー・ヨーク１２に対する前後身頃１１の取り付け、前後身頃１１に対する袖１４および襟１６の取り付け、右前身頃２２に対するボタン２４の取り付け、袖１４に対するカフス１８の取り付けは、縫合によって行われている。
【００１４】
左前身頃２１の着用者の左胸に当接する部位には、胸ポケット２６が形成されている。胸ポケット２６は、上部開口２７と、開口２７から下方へ向かって垂直に延びる収容スペース２８とを有する。胸ポケット２６は、左前身頃２１と、左前見頃２１の外側に配置された第１ポケット生地２９とから作られている。胸ポケット２６の中には、二点鎖線で示す２つに折り畳まれた携帯電話３０を収容可能な携帯電話収容ポケット３１が形成されている。第１ポケット生地２９は、上下方向へ長い略矩形を呈し、上部開口２７を作る第１自由上縁部３２と、自由上縁部３２から下方へ向かって凸となる第１固着周縁部３３と、それら縁部３２，３３を除く残余の中央部３４とを有する。自由上縁部３２は、横方向へ直状に延びている。自由上縁部３２では、ポケット生地２９が胸ポケット２６の内側に向かって折り曲げられている。固着周縁部３３は、左前身頃２１に縫合されている。固着周縁部３３では、ポケット生地２９が胸ポケット２６の内側に向かって折り曲げられている。ここで、ポケット生地２９の横方向の寸法Ｌ１（胸ポケット２６の横方向の寸法）は１０〜１５ｃｍの範囲にあり、ポケット生地２９の上下方向の寸法Ｌ２（胸ポケット２６の上下方向の寸法）は１２〜１８ｃｍの範囲にある。
【００１５】
携帯電話収容ポケット３１は、胸ポケット２６の開口２７の下方に位置してポケット２６に隠蔽された上部開口３５と、開口３５から下方へ向かって垂直に延びる携帯電話収容スペース３６とを有する。収容ポケット３１は、その全体が胸ポケット２６に隠蔽されている。収容ポケット３１は、左前身頃２１と、上下方向へ長い矩形を呈する第２ポケット生地３７とから作られている。第２ポケット生地３７は、左前身頃２１と第１ポケット生地２９との間に位置し、左前身頃２１の外側に配置されて第１ポケット生地２９の内側に重なっている。第２ポケット生地３７は、その大きさが第１ポケット生地２９よりも小さく、その全体が第１ポケット生地２９に隠蔽されている。第２ポケット生地３７は、収容ポケット３１に収容された携帯電話３０を左前身頃２１の側へわずかに押し当てる大きさを有する。
【００１６】
第２ポケット生地３７は、上部開口３５を作る第２自由上縁部３８と、第１ポケット生地２９の第１固着周縁部３３の周方向内方に位置する第２固着周縁部３９と、それら縁部３８，３９を除く残余の中央部４０（部位）とを有する。自由上縁部３８は、第１ポケット生地２９の第１自由上縁部３２よりも下方に位置して横方向へ直状に延びている。自由上縁部３８では、ポケット生地３７が収容ポケット３１の内側に向かって折り曲げられている。固着周縁部３９は、自由上縁部３８から下方へ向かって凸となり、左前身頃２１に縫合されている。固着周縁部３９では、ポケット生地３７が収容ポケット３１の内側に向かって折り曲げられている。
【００１７】
２つに折り畳まれた携帯電話３０を上部開口３５から収容ポケット３１の収容スペース３６に収容すると、図２に示すように、携帯電話３０の略全体がポケット３１に収容される。ポケット３１に収容された携帯電話３０は、第２ポケット生地３７によって左前身頃２１の側へ押し当てられる。ここで、ポケット生地３７の横方向の寸法Ｌ３（収容ポケット３１の横方向の寸法）は７〜９ｃｍの範囲にあり、ポケット生地３７の上下方向の寸法Ｌ４（収容ポケット３１の上下方向の寸法）は９〜１０ｃｍの範囲にある。ポケット生地３７の横方向の寸法が７ｃｍ未満であって、ポケット生地３７の上下方向の寸法が９ｃｍ未満では、収容ポケット３１の大きさが携帯電話３０と略同一かまたは小さくなり、ポケット３１に携帯電話３０を収納し難くなってしまう。ポケット生地３７の横方向の寸法が９ｃｍを超過し、ポケット生地３７の上下方向の寸法が１０ｃｍ超過すると、第２ポケット生地３７を介して携帯電話３０を左前身頃２１の側へ押し当てることができず、携帯電話３０がポケット３１から不用意に脱落してしまう場合がある。
【００１８】
この携帯電話収容ポケット付きワイシャツ１０は、携帯電話収容ポケット３１が胸ポケット２６の中に形成され、収容ポケット３１が胸ポケット２６に隠蔽されるから、従来技術のワイシャツのように左前見頃と右前身頃とに形の異なるポケットが形成されることはなく、ワイシャツ１０のデザインバランスの不釣り合いを防ぐことができる。ワイシャツ１０は、携帯電話収容ポケット３１が左前身頃２１と第１ポケット生地２９よりも小さい第２ポケット生地３７とから作られ、携帯電話３０を収容ポケット３１に入れたときに第２ポケット生地３７が携帯電話３０を左前身頃２１に向かって押さえ付けるから、収容ポケット３１に収容された携帯電話３０のポケット３１からの不用意な脱落を防ぐことができる。
【００１９】
このワイシャツ１０は、携帯電話３０を携帯電話収容ポケット３１に入れたときに第２ポケット生地３７が携帯電話３０を左前身頃２１に向かって押さえ付けるから、携帯電話３０が第１ポケット生地２９を左前身頃２１の外側へ大きく出っ張らせることはなく、胸ポケット２６が携帯電話３０の形状に沿って大きく膨らむことはない。このワイシャツ１０は、その見端の低下を防ぐことができるとともに、胸ポケット２６の中に携帯電話３０が入っていることをワイシャツ１０の外側からわかり難くすることができる。
【００２０】
図４は、胸ポケット２６および他の一例の携帯電話収容ポケット３１を拡大して示す部分拡大図である。図５は、図４の５−５線端面図である。図４では、第１ポケット生地２９の一部を破断して示す。図４では、横方向を矢印Ｘで示し、上下方向を矢印Ｙで示す。この携帯電話収容ポケット付きワイシャツ１０が図１，２のそれと異なるのは収容ポケット３１に上下方向へ延びるダーツ４１が形成されている点であり、その他の構成は図１，２のワイシャツ１０と同一であるから、図１，２のワイシャツ１０と同一の符号を付すことでこのワイシャツ１０の収容ポケット３１以外の構成ついての説明は省略する。また、ワイシャツ１０全体を示す図は、図１の正面図を援用する。
【００２１】
携帯電話収容ポケット３１は、胸ポケット２６の開口２７の下方に位置してポケット２６に隠蔽された上部開口３５と、開口３５から下方へ向かって垂直に延びる携帯電話収容スペース３６とを有する。収容ポケット３１は、その全体が胸ポケット２６に隠蔽されている。収容ポケット３１は、左前身頃２１と、上下方向へ長い矩形を呈する第２ポケット生地３７とから作られている。第２ポケット生地３７は、左前身頃２１と第１ポケット生地２９との間に位置している。第２ポケット生地３７は、その大きさが第１ポケット生地２９のそれよりも小さく、その全体が第１ポケット生地２９に隠蔽されている。第２ポケット生地３７は、収容ポケット３１に収容された携帯電話３０を左前身頃２１の側へわずかに押し当てる大きさを有する。
【００２２】
第２ポケット生地３７は、第１自由上縁部３２よりも下方に位置して上部開口３５を作る第２自由上縁部３８と、第１ポケット生地２９の第１固着周縁部３３の周方向内方に位置する第２固着周縁部３９と、それら縁部３８，３９を除く残余の中央部４０（部位）とを有する。自由上縁部３８では、ポケット生地３７が収容ポケット３１の内側に向かって折り曲げられている。固着周縁部３９は、自由上縁部３８から下方へ向かって凸となり、左前身頃２１に縫合されている。固着周縁部３８では、ポケット生地３７が収容ポケット３１の内側に向かって折り曲げられている。なお、ポケット生地２９の横方向の寸法Ｌ１（胸ポケット２６の横方向の寸法）とポケット生地２９の上下方向の寸法Ｌ２（胸ポケット２６の上下方向の寸法）とは図２のそれらと同一であり、ポケット生地３７の横方向の寸法Ｌ３（収容ポケット３１の横方向の寸法）とポケット生地３７の上下方向の寸法Ｌ４（収容ポケット３１の上下方向の寸法）とは図２のそれらと同一である。
【００２３】
第２ポケット生地３７の中央部４０には、上下方向へ延びる２つのダーツ４１が形成されている。ダーツ４１では、ポケット生地３７が横方向へ折り曲げられて襞４２を形成している。ポケット生地３７の中央部４０はダーツ４１において横方向へ展開可能であり、中央部４０が横方向へ展開すると、ポケット生地３７が横方向へ広がり、ポケット３１の収容スペース３６が拡大する。なお、ダーツ４１の数を２つに限定するものではなく、第２ポケット生地３７の中央部４０に上下方向へ延びる１つのダーツ４１が形成されていてもよく、中央部４０に上下方向へ延びる３つ以上のダーツ４１が形成されていてもよい。２つに折り畳まれた携帯電話３０を上部開口３５からポケット３１の収容スペース３６に収容すると、図４に示すように、中央部４０がダーツ４１において横方向へ展開し、携帯電話３０の略全体がポケット３１に収容される。
【００２４】
この携帯電話収容ポケット付きワイシャツ１０は、携帯電話収容ポケット３１が胸ポケット２６の中に形成され、収容ポケット３１が胸ポケット２６に隠蔽されるから、従来技術のワイシャツのように左前見頃と右前身頃とに形の異なるポケットが形成されることはなく、ワイシャツ１０のデザインバランスの不釣り合いを防ぐことができる。ワイシャツ１０は、携帯電話収容ポケット３１が左前身頃２１と第１ポケット生地２９よりも小さい第２ポケット生地３７とから作られ、携帯電話３０を収容ポケット３１に入れたときに第２ポケット生地３７のうちの特に上端縁部３２が携帯電話３０を左前身頃２１に向かって押さえ付けるから、収容ポケット３１に収容された携帯電話３０のポケット３１からの不用意な脱落を防ぐことができる。
【００２５】
このワイシャツ１０は、上下方向へ延びる２つのダーツ４１が第２ポケット生地３７の中央部４０に形成されているから、携帯電話３０を収容ポケット３１に収容したときに、ダーツ４１が横方向へ広がることで携帯電話３０の厚みを吸収し、さらに、上端縁部３２が携帯電話３０を左前身頃２１に向かって押さえ付けるから、携帯電話３０が第１ポケット生地２９を左前身頃２１の外側へ大きく出っ張らせることはなく、胸ポケット２６が携帯電話３０の形状に沿って大きく膨らむことはない。このワイシャツ１０は、その見端の低下を確実に防ぐことができ、胸ポケット２６の中に携帯電話３０が入っていることをワイシャツ１０の外側からわかり難くすることができる。
【００２６】
ワイシャツ１０を作る生地や第１ポケット生地２９、第２ポケット生地３７としては、綿織物、絹織物、レーヨン織物、合成繊維織物、ポリエステル・綿混紡織物、横方向と上下方向とへ弾性的な伸縮性を有するストレッチ織物、編物、レースを使用することができる。第１ポケット生地２９と第２ポケット生地３７とには、ワイシャツ１０の生地と同一の素材を使用することが好ましい。第２ポケット生地３７には、それらの他に、実質的に非伸縮性の繊維不織布、上下方向と横方向とのうちの少なくとも該横方向へ弾性的な伸縮性を有する伸縮性繊維不織布を使用することもできる。
【００２７】
第２ポケット生地３７として伸縮性を有する生地や伸縮性繊維不織布を使用する場合であって、第２固着周縁部３９を左前身頃２１に縫合する場合は、第２ポケット生地３７が横方向へ非伸張状態にある。第２ポケット生地３７が上下方向と横方向とのうちの少なくとも該横方向へ弾性的な伸縮性を有する場合、携帯電話３０を収容ポケット３１に収容したときに、第２ポケット生地３７がその伸縮性よって携帯電話３０を左前身頃２１に向かって確実に押さえ付けるから、携帯電話３０が第１ポケット生地２９を左前身頃２１の外側へ大きく出っ張らせることはなく、胸ポケット２６が携帯電話３０の形状に沿って大きく膨らむことはない。第２ポケット生地３７が伸縮性を有するワイシャツ１０は、収容ポケット３１からの携帯電話３０の不用意な脱落を防ぐことができるとともに、その見端の低下を確実に防ぐことができ、胸ポケット２６の中に携帯電話３０が入っていることをワイシャツ１０の外側からわかり難くすることができる。
【００２８】
図２や図４に示すワイシャツ１０では、第２ポケット生地３７の固着周縁部３９が自由上端部３８から下方へ向かって垂直に凸となるコ字状を呈するが、固着周縁部３９が自由上端部３８から下方へ向かって垂直に凸となるＵ字状であってもよい。
【図面の簡単な説明】
【００２９】
【図１】一例として示すワイシャツの正面図。
【図２】胸ポケットおよび携帯電話収容ポケットを拡大して示す部分拡大図。
【図３】図２の３−３線矢視断面図。
【図４】胸ポケットおよび他の一例の携帯電話収容ポケットを拡大して示す部分拡大図。
【図５】図４の５−５線端面図。
【符号の説明】
【００３０】
１０    携帯電話収容ポケット付きワイシャツ
１１    前身頃
２１    左前身頃
２２    右前身頃
２６    胸ポケット
２９    第１ポケット生地
３０    携帯電話
３１    携帯電話収容ポケット
３２    第１自由縁部
３３    第１固着周縁部
３７    第２ポケット生地
３８    第２自由縁部
３９    第２固着周縁部
４０    中央部（部位）
４１    ダーツ
【図１】
2007177334.tif 000003
【図２】
2007177334.tif 000004
【図３】
2007177334.tif 000005
【図４】
2007177334.tif 000006
【図５】
2007177334.tif 000007